(57)【要約】  本発明は、光学エレクトロウェッティング装置、特にエレクトロウェッティングにより駆動される可変焦点光学レンズの導電性流体に臭素アニオンを使用することに関する。また本発明は、臭素アニオンを含む多相液体組成物に関するとともに、それを含むエレクトロウェッティングにより駆動される光学レンズに関する。
2009525501.tif 000002
【特許請求の範囲】
【請求項１】
光学エレクトロウェッティング装置の導電性流体における臭素アニオンの使用。
【請求項２】
エレクトロウェッティングにより駆動される光学レンズの導電性流体における請求項１に記載の使用。
【請求項３】
臭素アニオンが有機臭素塩または無機臭素塩である、請求項１に記載の使用。
【請求項４】
臭素塩が、アルカリ臭化物およびアルカリ土類臭化物から選択されるものであり、特に臭化ナトリウムおよび／または臭化リチウム、臭化亜鉛など、ならびにそれらの混合物から選択される、請求項３に記載の使用。
【請求項５】
臭素塩が臭化リチウムまたは臭化ナトリウムである、請求項４に記載の使用。
【請求項６】
熱的ストレスの際および熱的ストレスの後に実質的に濁りを示さない光学エレクトロウェッティング装置に使用する導電性流体を調製するための、請求項１〜５のいずれか１項に記載の使用。
【請求項７】
凝固点降下剤としての、請求項１〜６のいずれか１項に記載の使用。
【請求項８】
非腐食剤としての、請求項１〜７のいずれか１項に記載の使用。
【請求項９】
導電性流体および前記導電性流体と混ざらない非導電性流体を備える光学エレクトロウェッティング装置における、前記非導電性流体の密度に対する前記導電性流体の密度調整剤としての、請求項１〜８のいずれか１項に記載の使用。
【請求項１０】
水、臭素アニオン、および凝固点降下剤を含む組成物。
【請求項１１】
臭素アニオンが有機臭素塩または無機臭素塩である、請求項１０に記載の組成物。
【請求項１２】
粘度調整剤をさらに含む、請求項１０または１１に記載の組成物。
【請求項１３】
殺生物剤をさらに含む、請求項１０〜１２のいずれか１項に記載の組成物。
【請求項１４】
０．５重量％〜２５重量％の臭素塩、
５重量％〜６０重量％の凝固点降下剤、
０重量％〜５０重量％の粘度調整剤、
０重量％〜１重量％の殺生物剤、および
１００重量％とするのに十分な量の水
を含む、請求項１０〜１３のいずれか１項に記載の組成物。
【請求項１５】
１．０重量％〜２０重量％の臭素塩、
１０重量％〜５０重量％の凝固点降下剤、
０重量％〜４０重量％の粘度調整剤、
０重量％〜０．５重量％の殺生物剤、および
１００重量％とするのに十分な量の水
を含む、請求項１０〜１４のいずれか１項に記載の組成物。
【請求項１６】
導電性流体および前記導電性流体と混ざらない非導電性流体を含み、前記導電性流体が
臭素塩を含む、多相液体組成物。
【請求項１７】
導電性流体が請求項１０〜１５のいずれか１項に記載の組成物である、請求項１６に記載の多相液体組成物。
【請求項１８】
請求項１０〜１５のいずれか１項に記載の導電性流体組成物および前記導電性流体と混ざらない非導電性流体を含み、−２０℃〜＋７０℃の温度範囲において１．５ｃＳｔ〜４０ｃＳｔの動粘度を有する、請求項１６または１７に記載の多相組成物。
【請求項１９】
−２０℃〜＋７０℃の温度範囲において１．５ｃＳｔ〜２０ｃＳｔの動粘度を有する、請求項１８に記載の多相組成物。
【請求項２０】
導電性流体の粘度と非導電性流体の粘度との差が、−２０℃〜＋７０℃の温度範囲において０ｃＳｔ〜±１０ｃＳｔである、請求項１６、１７、１８、または１９のいずれか１項に記載の多相組成物。
【請求項２１】
導電性流体および前記導電性流体と混ざらない非導電性流体を備え、前記導電性流体が臭素アニオンを含む、光学エレクトロウェッティング装置。
【請求項２２】
導電性流体が請求項１０〜１５のいずれか１項に記載の組成物である、請求項２１に記載の光学エレクトロウェッティング装置。
【請求項２３】
可変焦点液体レンズ、光学絞り、または光学ズームである、請求項２１または２２に記載の光学エレクトロウェッティング装置。
【請求項２４】
エレクトロウェッティングにより駆動されるレンズである、請求項２１〜２３のいずれか１項に記載の光学エレクトロウェッティング装置。
【請求項２５】
請求項２１〜２４のいずれか１項に記載の光学エレクトロウェッティング装置およびそのインターフェースを制御するための駆動装置または電子手段を備える、装置。
【請求項２６】
カメラ、携帯電話、内視鏡、遠隔計器、または歯科用ビデオカメラである、請求項２５に記載の装置。
【発明の詳細な説明】
【技術分野】
【０００１】
本発明は、光学エレクトロウェッティング装置、特に多相液体を含むエレクトロウェッティングにより駆動される光学レンズに、臭素アニオンを使用することに関する。また本発明は、光学エレクトロウェッティング装置、特にエレクトロウェッティングにより駆動される光学レンズであって、臭素アニオンを含有する導電性流体と、該導電性流体に混ざらない非導電性流体とを含むものに関する。
【背景技術】
【０００２】
光学エレクトロウェッティング装置は、特定の光学機能をもたらすよう入射光を変えることができる装置である。そのような装置には、可変焦点液体レンズ、光学絞り、光学ズーム、眼科用装置があり、多くの用途や装置（例えばカメラ、携帯電話、遠隔計器、内視鏡、歯科用ビデオカメラなど）においてその提案が増えている。
【０００３】
エレクトロウェッティングにより駆動される焦点距離が可変の光学レンズは、例えば欧州特許ＥＰ−Ｂ１−１１６６１５７に記載され、その内容は引用により本明細書に援用されたものとする。本願の図１は該特許の図１２に相当するものである。セルは流体室によって画定され、該流体室は、下部プレート７、９および上部プレート１、並びに垂直（直角）またはほぼ垂直（直角）な軸Δを備える。下部プレート（非平面である）は、円錐状または円筒状の窪みまたは凹部３を有しており、窪みまたは凹部３は、非導電性または絶縁性の流体４を収容している。セルの残りの部分には、軸Δに沿って、電気的に変位させることができる導電性流体５が充填されている。
【０００４】
これらの流体は、混ざり合わず、メニスカス（Ａ，Ｂ）にわたって接しており、異なる屈折率を有しているとともに、ほぼ同じ密度を有している。セルは、下部プレートの少なくともある領域上に配置された電気絶縁性基材２を有しており、該基材上で両流体が接触している。
【０００５】
絶縁性基材の厚みは約０．１μｍ〜約１００μｍであることが好ましい。一般的に、光学エレクトロウェッティング装置を低電圧で作動させるには薄いものを使用すべきである一方、厚い絶縁性基材は高電圧の用途に使用される。
【０００６】
図１において、絶縁性基材は下部プレート全体を被っているが、両流体が接触する下部プレートのある領域に限られていてもよい。第１の電極は、絶縁性基材によって、導電性流体および絶縁性流体から分離されている。この例において、下部プレートは、第１の電極として機能する導電性部材７と、光束を通過させるための透明窓９とを備えている。図１の導電体は、非導電性流体の中心位置を調整するため使用される。もう１つの電極８は導電性流体に接触している。導電性流体に対する絶縁性基材の濡れ性は、電極間に印加される電圧Ｖに応じて、エレクトロウェッティング現象によりメニスカスの形状を変えることができるような第１と第２の電極間に電圧Ｖが印加される条件で変化する。かくして、液滴領域においてプレートに垂直な、セルを通過する光束は、印加電圧に従ってより強くまたは弱く集束される。電圧Ｖは０ボルトから最大電圧まで増加させることができ、最大電圧は使用する材料によって変わる。例えば、電圧が上昇するとき、非導電性の液滴４は、限界の位置（Ｂとして示される）に達するまで変形する。液滴４が位置Ａ（静止位置、張力なし、導電性流体５に対して凹状の界面）から位置Ｂ（導電性流体５に対して凸状の界面）まで変形する間、液体レンズの焦点は変化する。
【０００７】
導電性流体は通常、塩を含む水性の流体である。絶縁性流体は典型的に、油、アルカン
、またはアルカンの混合物であり、それらは、ハロゲン化されたものであってもよい。
【０００８】
光学エレクトロウェッティング装置の光学品質は、種々のパラメータに応じて、使用状況で異なり得る。
【０００９】
可変焦点液体レンズ、光学絞り、光学ズーム、および内部環境または外部環境においてエレクトロウェッティングを使用するその他の任意の光学装置として使用される高性能のレンズをもたらすには、導電性流体が、ある特定の基準を満たす必要があることを今回見出した。また、導電性流体は、非導電性流体、絶縁性プレート、および光学エレクトロウェッティング装置を収容する側壁のすべてに対して可能な限り適合する必要がある。
【００１０】
ＷＯ２００４／０９９８４５は、水および塩素塩を含有する導電性かつ／または極性の流体を含むエレクトロウェッティングモジュールを開示する。
【００１１】
Ｂ．Ｂｅｒｇｅ他，（Ｅｕｒ．Ｐｈｙｓ．Ｊ．Ｅ．，３，（２０００），１５９−１６３）には、導電性流体が硫酸ナトリウム水である、エレクトロウェッティングにより駆動される光学レンズが開示されている。
【００１２】
さらにより効率的な光学エレクトロウェッティング装置を絶えず開発していくため、本発明者らは、光学エレクトロウェッティング装置、特にエレクトロウェッティングにより駆動される可変焦点レンズに利用すべく、以下の態様を検討した。
【００１３】
透明性などの光学特性が、広い温度範囲にわたってほぼ一定である。
熱的ストレスの際および熱的ストレスの後、透明性が、できる限り短い時間で回復する。
【００１４】
成分（例えば導電性流体中の塩類）の溶解性が、広い温度範囲（特に低温）においてほぼ一定である。
【００１５】
導電性流体および非導電性流体がともに、装置のプレート類および側壁、典型的にガラス、ステンレス鋼に対して腐食性でない。
【発明の開示】
【発明が解決しようとする課題】
【００１６】
従って、本発明の目的は、上に列挙した態様の少なくとも１つ、好ましくは少なくとも２つ、より好ましくは少なくとも３つ、最も好ましくはすべてを満足する、光学エレクトロウェッティング装置、特にエレクトロウェッティングにより駆動される可変光学レンズを提供することである。
【課題を解決するための手段】
【００１７】
今回、本発明者らは、これらの目的並びに他の目的が、本発明の多相組成物により、すべてあるいは部分的に達成されることを見出した。
【００１８】
第１の態様において、本発明は、光学エレクトロウェッティング装置の導電性流体、特にエレクトロウェッティングにより駆動される光学レンズの導電性流体に臭素アニオンを使用することに関する。
【００１９】
また本発明は、光学エレクトロウェッティング装置、特にエレクトロウェッティングにより駆動される光学レンズの製造方法に関し、該方法は、光学エレクトロウェッティング装置の導電性流体に臭素アニオンを使用することを備える。
【００２０】
より具体的に、導電性流体は、水と、少なくとも１種の任意の形態の臭素アニオンとを含む。アニオン源は、任意の有機イオン若しくはイオン性臭素塩または無機イオン若しくはイオン性臭素塩、好ましくは、無機イオン若しくはイオン性臭素塩である。
【発明を実施するための最良の形態】
【００２１】
以下本明細書において、「イオン塩」は、水中で、完全にまたはほぼ完全に解離する（例えば臭素アニオンとカチオンのように）塩を指す。「イオン性塩」は、化学的処理、物理的処理、または物理化学的処理の後、水中で、完全にまたはほぼ完全に解離する塩を指す。
【００２２】
本明細書および請求の範囲において、用語「備える／備えている」は、「含む／含んでいる」、「含有する／含有している」と同義であり（同じことを意味し）、非排他的または非限定的であり、規定していないその他の要件を排除しないものである。
【００２３】
１つの態様によれば、本発明は、光学エレクトロウェッティング装置の導電性流体、特にエレクトロウェッティングにより駆動される光学レンズの導電性流体に、臭素アニオンとともにカチオンを使用することに関する。
【００２４】
カチオンの例として、アルカリカチオン、アルカリ土類カチオン、および金属カチオンがあるが、これらに限定されるものではない。
【００２５】
従って、有機イオン臭素塩、無機イオン臭素塩、有機イオン性臭素塩、および無機イオン性臭素塩は、当該技術においてよく知られているものであり、その例には、アルカリ臭化物およびアルカリ土類臭化物、例えば、臭化ナトリウムおよび／または臭化リチウム、さらには臭化亜鉛など、並びにそれらの混合物があるが、これらに限定されるものではない。
【００２６】
１種以上のイオン臭素塩と１種以上のイオン性臭素塩の混合物も、本発明に包含されるところである。
【００２７】
本発明の特に好ましい実施形態によれば、導電性流体に使用する臭素アニオン源として有用な塩には、臭化亜鉛、アルカリ臭化物、およびアルカリ土類臭化物、好ましくは、臭化ナトリウムおよび／または臭化リチウムがあるが、これらに限定されるものではない。臭化リチウムは最も好ましいものである。
【００２８】
臭化リチウムおよび臭化ナトリウムは、光学エレクトロウェッティング装置、特にエレクトロウェッティングにより駆動される光学レンズの導電性流体に使用するのに、特によく適している。
【００２９】
本発明の好ましい態様には該当しないが、臭素アニオンと他の有機塩または無機塩（例えば塩素塩、硫酸塩、酢酸塩）の混合物も、本発明に包含されるところである。
【００３０】
上述したとおり、導電性流体は、臭素アニオン、典型的に臭素塩を、水に溶解された形で含む。
【００３１】
導電性流体に使用する水は、できる限り純粋であることが望ましく、すなわち、光学エレクトロウェッティング装置（エレクトロウェッティングにより駆動される光学レンズ）の光学特性を変化させる可能性がある他の溶解成分を含まないまたは実質的に含まないことが望ましい。
【００３２】
超純水を使用することが最も好ましい。
導電性流体中の臭素アニオンの濃度は、大きな割合で変えることができるが、濃度が高すぎると、密度、屈折率、光学分散の好ましくない上昇が生じる可能性があることを念頭にいれておくべきである。
【００３３】
一例として、臭化リチウム（ＬｉＢｒ）を臭素アニオン源として用いる場合、導電性流体中のＬｉＢｒの適当な濃度は、約０．５重量％〜約２５重量％、有利には約１．０重量％〜約２０重量％、好ましくは約１．０重量％〜約１５重量％、典型的には約１．５重量％〜約１０重量％である。
【００３４】
本発明に従って、光学エレクトロウェッティング装置（例えばエレクトロウェッティングにより駆動される光学レンズ）の導電性流体に臭素アニオンを使用すれば、熱的ストレスの際および熱的ストレスの後、実質的に濁りを示さない光学エレクトロウェッティング装置が得られ、また、濁りが存在する場合では、約８５℃の温度において少なくとも約１５時間以上（例えば約１８時間）の熱的ストレスの後、比較的すみやかに（例えば約８０時間より短い時間内で）透明性の回復がもたらされる。
【００３５】
本明細書において、濁りは、熱的ストレスの際または熱的ストレスの後、非導電性流体または導電性流体のいずれか、またはそれらの両方に見られるヘイズを指している。
【００３６】
流体に熱的ストレスを加えた際または加えた後の濁り（濁度）は、実施例で説明するように、濁度計を用いて測定される。
【００３７】
本明細書において、導電性流体および非導電性流体のいずれかまたは両方に関し、さらには、光学エレクトロウェッティング装置に関し、透明性は、約４００ｎｍ〜約７００ｎｍの波長範囲にわたって透過率が約９６％を超えており、かつ／または、同じ波長範囲で入射方向の周り約６０°（度）の円錐において散乱エネルギーが約２％未満であること意味している。
【００３８】
別の特徴によれば、導電性流体は、少なくとも１種の通常の凝固点降下剤を含む。凝固点降下剤として、アルコール、グリコール、グリコールエーテル、ポリオール、ポリエーテルポリオールなど、またはそれらの混合物を挙げることができる。その例には、以下の物質：エタノール、エチレングリコール（ＥＧ）、モノプロピレングリコール（ＭＰＧまたは１，２−プロパンジオール）、１，３−プロパンジオール、１，２，３−プロパントリオール（グリセロール）など、およびそれらの混合物がある。一実施形態において、導電性流体は水、ＭＰＧおよびグリセロールの混合物を含む。
【００３９】
１つの特徴によれば、この物質は、約−２０℃〜約＋７０℃の温度範囲にわたって液体であることが必要な導電性流体の凝固点を下げることを目的とする。
【００４０】
臭素塩は導電性流体の凝固点を下げることが分かった。このように、別の特徴によれば、凝固点降下剤は、臭素アニオン、典型的には臭素塩とすることができ、そのため、さらなる凝固点降下剤は不要である。しかし、必要であれば、さらなる凝固点降下剤を加えてもよい。
【００４１】
さらに別の特徴によれば、導電性流体は、少なくとも１種の粘度制御剤（すなわち粘度調整剤）を含む。本発明で使用できる粘度調整剤は、当業者に知られる任意の種類のものとすることができ、有利には、アルコール、グリコール、グリコールエーテル、ポリオール、ポリエーテルポリオールなど、およびそれらの混合物とすることができる。
【００４２】
その例には、以下の物質：エタノール、エチレングリコール（ＥＧ）、モノプロピレングリコール（ＭＰＧ）、１，３−プロパンジオール、１，２，３−プロパントリオール（グリセロール）など、およびそれらの混合物がある。
【００４３】
好ましい実施形態において、粘度調整剤は、約１３０ｇ／ｍｏｌ未満の分子量を有する。
【００４４】
粘度調整剤は凝固点降下剤と同じであってもよいし異なってもよい。１つの特徴によれば、導電性流体は、凝固点降下剤と粘度調整剤の両方である物質を含む。
【００４５】
さらに別の特徴によれば、光学エレクトロウェッティング装置（特にエレクトロウェッティングにより駆動されるレンズの場合）の光学特性を低下させる可能性のある生物（例えば細菌、真菌、藻類、微細藻類など）の成長を防止するため、導電性流体は殺生物剤を含むことが有利である。
【００４６】
そのような殺生物剤は、凝固点降下剤および粘度調整剤の場合と同様に、導電性流体の必要な光学特性（上述したとおり、透明性、屈折率など）を変化させない限り、当該技術において知られる任意の種類のものとすることができる。
【００４７】
別の目的として、本発明は、水、臭素アニオン（典型的に有機臭素塩または無機臭素塩）、および凝固点降下剤を含む組成物に関する。該組成物は、殺生物剤および／または粘度調整剤をさらに含むことが好ましい。
【００４８】
好ましい実施形態において、導電性流体は、水、臭素塩（好ましくは、臭化リチウムおよび／または臭化ナトリウム）、および凝固点降下剤（好ましくは、ＭＰＧ、グリセロール、またはＭＰＧとグリセロールの混合物）を含み、さらに必要に応じて殺生物剤および／または粘度調整剤を含む。
【００４９】
さらに好ましい実施形態によれば、本発明の組成物は、
約０．５重量％〜約２５重量％、有利には約１．０重量％〜約２０重量％、好ましくは約１．０重量％〜約１５重量％の臭素アニオン（好ましくは臭素塩）、
約５重量％〜約６０重量％の凝固点降下剤、好ましくは約１０重量％〜約５０重量％の凝固点降下剤、
０重量％〜約５０重量％の粘度調整剤、好ましくは０重量％〜約４０重量％の粘度調整剤、
０重量％〜約１重量％の殺生物剤、好ましくは０重量％〜０．５重量％の殺生物剤、および
１００重量％とするのに十分な量の水
を含む。
【００５０】
上述したとおり、臭素アニオンを含む導電性流体は、非混和性の非導電性流体とともに存在して、光学エレクトロウェッティング装置（例えばエレクトロウェッティングにより駆動される光学レンズ）用の多相液体組成物を形成してもよい。
【００５１】
従って、本発明の別の態様は、臭素アニオンを含有する導電性流体、および該導電性流体と混ざらない非導電性流体を含む多相液体組成物である。
【００５２】
用語「非混和性」は、互いに非混和性のまたは互いにほぼ非混和性の流体を指している。
【００５３】
１つの実施形態によれば、該組成物は、約−１０℃〜約＋６０℃、好ましくは約−２０℃〜約＋６０℃、より好ましくは約−２０℃〜約＋７０℃の温度範囲において、約１．５ｃＳｔ〜約４０ｃＳｔ、好ましくは約１．５ｃＳｔ〜約２０ｃＳｔ、より好ましくは約３ｃＳｔ〜約１０ｃＳｔの算術平均動粘度を有する。
【００５４】
本明細書において、動粘度は、ＡＳＴＭ  Ｄ７０４２−０４に従って測定される。回転子と固定子の間の液体の抵抗は、特定の温度、例えば約−２０℃、−１０℃、＋６０℃、若しくは＋７０℃、および／または、約−２０℃、−１０℃〜＋６０℃、＋７０℃の温度範囲内にある中間の温度において、測定される。Ａｎｔｏｎ  Ｐａａｒ  ＳＶＭ３０００の型式の粘度計を用いることができ、そしてＥＰ−Ｂ１−０９２６４８１（その内容は引用により本明細書に援用されたものとする）を参照する。これらの文献の内容は、引用により本明細書に援用されたものとする。算術平均動粘度は、導電性流体および非導電性流体について上記方法により別々に測定した動粘度の算術平均である。
【００５５】
別の特徴によれば、導電性流体の粘度と非導電性流体の粘度との差は、約−１０℃〜約＋６０℃、好ましくは約−２０℃〜約＋６０℃、より好ましくは約−２０℃〜約＋７０℃の温度範囲において、０ｃＳｔ〜約±１０ｃＳｔ、好ましくは０ｃＳｔ〜約±５ｃＳｔである。
【００５６】
１つの特徴によれば、多相液体組成物は、導電性流体に混ざらない非導電性流体を含む。この非導電性流体は、有機化合物、無機化合物（鉱物）、またはそれらの混合物を含む。そのような有機化合物または無機化合物の例には、Ｓｉ系モノマーまたはオリゴマー、Ｇｅ系モノマーまたはオリゴマー、Ｓｉ−Ｇｅ系モノマーまたはオリゴマー、炭化水素、またはそれらの混合物がある。
【００５７】
炭化水素は、直鎖または分枝鎖とすることができ、１つ以上の飽和部位、不飽和部位、または部分不飽和環状部位を含むことができる。炭化水素は、約１０〜約３５の炭素原子を有することが有利であり、約１５〜約３５の炭素原子を有することが好ましい。約１０未満の炭素原子を有する炭化水素は、導電性流体に対する混和性が生じる可能性があり、あまり好ましくない。
【００５８】
炭化水素は１つ以上の不飽和部位を二重結合および／または三重結合の形態で有してもよい。２つまたは３つより多い二重結合または三重結合は、紫外線による分解のおそれを考慮すると好ましくない。炭化水素は、二重結合または三重結合を含まない方が好ましく、その場合、該炭化水素は、本明細書においてアルカンと呼ばれる。
【００５９】
炭化水素は、１つ以上のヘテロ原子を、置換基として、および／または、該炭化水素の鎖および／または環を中断する原子または原子の群として、さらに含んでもよい。そのようなヘテロ原子には、酸素、硫黄、窒素、リン、ハロゲン（主にフッ素、塩素、臭素、および／またはヨウ素）があるが、これらに限定されるものではない。１つ以上のヘテロ原子の存在が２種の流体の非混和性に影響しないよう注意すべきである。
【００６０】
約９９．８％より多いアルカンを含む混合物を使用することができる。そのような混合物は、約１重量％未満（好ましくは約０．５重量％未満）の割合で少量の芳香族基および／または不飽和部位を含んでもよい。また該アルカンには約１０重量％未満、好ましくは約７重量％未満の割合で塩素が存在していてもよい。そのような不純物は、アルカンの調製（例えば蒸留工程によりアルカンを得る場合）に由来する副産物として存在し得る。
【００６１】
本発明の種々の特徴によれば、該炭化水素は、
直鎖または分枝鎖のアルカン（例えば、デカン（Ｃ１０Ｈ２２）、ドデカン（Ｃ１２Ｈ２４）、スクアラン（Ｃ３０Ｈ６２）など）、
１つ以上の環を有するアルカン（例えばｔｅｒｔ−ブチルシクロヘキサン（Ｃ１０Ｈ２０）など）、
縮合環系（例えばα−クロロナフタレン、α−ブロモナフタレン、シス，トランス−デカヒドロナフタレン（Ｃ１０Ｈ１８）など）、
炭化水素の混合物（例えばＩｓｏｐａｒ（登録商標）Ｖ、Ｉｓｏｐａｒ（登録商標）Ｐ（Ｅｘｘｏｎ  Ｍｏｂｉｌより）として入手できるものなど）、
およびそれらの混合物
であるか、または、それらを含むものである。
【００６２】
本願において、オリゴマーは、約２〜約２０、好ましくは約２〜約１０、より好ましくは約２〜約５の間にある相当数の同じ繰り返し単位（ホモオリゴマー）または異なる繰り返し単位（コオリゴマー）を有する化合物である。約２０を超える繰り返し単位を有するオリゴマーは、低温にて粘度の好ましくない上昇を引き起こし得るので、あまり好ましくない。
【００６３】
非導電性流体は、以下のシリコン系化合物を１種以上含むことができる。
式１ａ、１ｂまたは１ｃのシロキサン、
【００６４】
【化１】
2009525501.tif 000003
【００６５】
（式中、Ｒ１、Ｒ２およびＲ’は、それぞれ独立してアルキル、（ヘテロ）アリール、（ヘテロ）アリールアルキル、（ヘテロ）アリールアルケニル、または（ヘテロ）アリールアルキニルを表し、かつｎは約１〜約２０であり、好ましくは約１〜約１０であり、より好ましくはｎは１、２、３、４、または５であり、ただし、式１ｃにおいてｎは２より大きい）、
式２のシラン、
【００６６】
【化２】
2009525501.tif 000004
【００６７】
（式中、Ｒ１、Ｒ２およびＲ’は上記で規定したとおりであり、かつｍは約１〜約２０であり、好ましくは約１〜約１０であり、より好ましくはｍは１、２または３である）、
式３のモノシラン
【００６８】
【化３】
2009525501.tif 000005
【００６９】
（式中、Ｒ１およびＲ２は上記で規定したとおりであり、かつＲ３およびＲ４のそれぞれは独立してアルキル、（ヘテロ）アリール、（ヘテロ）アリールアルキル、（ヘテロ）アリールアルケニル、または（ヘテロ）アリールアルキニルを表す）。
【００７０】
上記式において、
アルキルは、約１〜約１０の炭素原子、好ましくは約１〜約６の炭素原子を有する直鎖または分枝鎖のアルキルラジカルを意味し、好ましいアルキルには、メチル、エチル、ｎ−プロピル、イソプロピルがあり、アルキルラジカルは、ハロゲン化されていてもよく、例えば、１，１，１−トリフルオロプロピル基を含んでもよく、
（ヘテロ）アリールは、約５〜約１２の原子を含み、１つ以上、好ましくは１つの芳香環および／または複素芳香環を形成する芳香族ラジカルまたは複素芳香族ラジカルを意味し、該環は、１つ以上のハロゲン、好ましくは１つ、２つ、３つのハロゲン原子（主にフッ素、塩素および／または臭素）で置換されていてもよく、また、１つ以上の飽和環系、部分飽和環系、または不飽和環系と縮合されていてもよく、好ましい（ヘテロ）アリールには、フェニル、ナフチル、ビシクロ［４．２．０］オクタトリエニルがあり、これらは１つ、２つまたは３つのハロゲン原子で置換されていてもよく、
（ヘテロ）アリールアルキルは、アルキルラジカルおよび（ヘテロ）アリールラジカルのそれぞれについて上記で規定したとおりであり、好ましい（ヘテロ）アリールアルキルには、ベンジル、フェネチルがあり、これらは１つ、２つ、または３つのハロゲン原子で置換されていてもよく、
（ヘテロ）アリールアルケニルおよび（ヘテロ）アリールアルキニルは、（ヘテロ）アリール部位が上記で規定したとおりであるラジカルに相当し、アルケニルおよびアルキニルは、上記で規定した直鎖または分枝鎖のアルキルラジカルを表し、１つ以上、好ましくは１つの二重結合、または１つ以上、好ましくは１つの三重結合をそれぞれさらに有する。
【００７１】
好ましい実施形態によれば、上記式１ａ、１ｂおよび２において、すべてのＲ’は、同じであるかまたは異なっており、好ましくはメチルまたはハロゲン化アルキルである。
【００７２】
さらに好ましい実施形態によれば、上記式１ａ、１ｂおよび２において、すべてのＲ’は同じであり、より好ましくは、各Ｒ’はメチルである。
【００７３】
非導電性流体は、以下の特定のシリコン系種の１種以上を含むことができる。
ヘキサメチルジシラン、ジフェニルジメチルシラン、クロロフェニルトリメチルシラン、フェニルトリメチルシラン、
フェネチルトリス（トリメチルシロキシ）シラン、フェニルトリス（トリメチルシロキシ）シラン、ポリジメチルシロキサン、テトラフェニルテトラメチルトリシロキサン、ポリ（３，３，３−トリフルオロプロピルメチルシロキサン）、３，５，７−トリフェニルノナメチルペンタシロキサン、３，５−ジフェニルオクタメチルテトラシロキサン、１，１，５，５−テトラフェニル−１，３，３，５−テトラメチル−トリシロキサン、およびヘキサメチルシクロトリシロキサン。
【００７４】
別の特徴によれば、非導電性流体は、以下のゲルマン系種の１種以上を含むことができ
る。
【００７５】
式４のゲルマノキサン、
式５のゲルマン、
式６のゲルマン。
【００７６】
【化４】
2009525501.tif 000006
【００７７】
（式中、Ｒ’、Ｒ１、Ｒ２、Ｒ３、Ｒ４、およびｎは上記で規定したとおりである）。
非導電性流体は、以下の特定のゲルマン系種：ヘキサメチルジゲルマン、ジフェニルジメチルゲルマン、フェニルトリメチル−ゲルマンの１種以上を含んでもよい。
【００７８】
さらに別の特徴によれば、非導電性流体は、１つ以上のフェニル基および／または他の基（例えばフッ素化されたまたはフッ素化されていないアルキル（エチル、ｎ−プロピル、ｎ−ブチル）、直鎖または分枝鎖のアルキル、塩素化されたまたは臭素化されたフェニル基、ベンジル基、ハロゲン化されたベンジル基）で置換された少なくとも１種のＳｉ系化合物および／またはＧｅ系化合物を含むか、または、Ｓｉ系化合物および／またはＧｅ系化合物の混合物であって少なくとも１種の化合物が１つ以上のフェニル基および／または他の基（例えばフッ素化されたまたはフッ素化されていないアルキル（エチル、ｎ−プロピル、ｎ−ブチル）、直鎖または分枝鎖のアルキル、塩素化されたまたは臭素化されたフェニル基、ベンジル基、ハロゲン化されたベンジル基）で置換されている混合物を含む。
【００７９】
好ましい実施形態において、非導電性流体がシロキサン化合物、特にアリールシロキサン化合物を含む場合、該化合物は、アリール（例えばフェニル）ラジカルまたは基の総数のＳｉ原子総数に対する比が、約１．３３以下、好ましくは１以下、より好ましくは約０．８以下である。
【００８０】
さらに別の態様において、本発明は、１つ以上のフェニル基で置換されたＳｉ系化合物および／またはＧｅ系化合物、または、Ｓｉ系化合物および／またはＧｅ系化合物の混合物であって少なくとも１種の化合物が１つ以上のフェニル基で置換された混合物を、エレクトロウェッティングにより駆動される光学レンズの非導電性流体に使用することに関する。シロキサン化合物、特にアリールシロキサン化合物について、アリール（例えばフェニル）ラジカルまたは基の総数のＳｉ原子総数に対する比は、約１．３３以下、好ましくは約１未満、より好ましくは約０．８未満である。
【００８１】
アリール（例えばフェニル）ラジカルまたは基のＳｉ原子に対する比が約１．３３より大きいＳｉ系化合物は、水性の導電性流体とともに存在するとき、熱的ストレスの後、濁る可能性がある。そのような油について濁度の値は、通常、約１０００ＮＴＵより高い。フェニル基数のＳｉ数に対する比が約１．３３以下、好ましくは１未満、より好ましくは約０．８未満であるシロキサンまたはシランを選択して使用することにより、約２００ＮＴＵ未満（これは、光学エレクトロウェッティング装置（例えば光学レンズ）の用途で許容される値である）に濁度を低下させることができる。
【００８２】
非導電性相が、炭化水素、典型的にアルカンであるか、または炭化水素、典型的にアルカンを含む場合、熱的ストレスの後、濁度またはヘイズは、通常、認められず、あるいは、約１ＮＴＵ未満である。
【００８３】
従って、１つの態様において、本発明が特徴とする多相組成物は、導電性流体および該導電性流体と混ざらない非導電性流体を含むものであって、該非導電性流体が、１つ以上のフェニル基で置換されたＳｉ系化合物および／またはＧｅ系化合物を含むか、または、Ｓｉ系化合物および／またはＧｅ系化合物の混合物であって少なくとも１種の化合物が１つ以上のフェニル基で置換された混合物を含むものである。シロキサン化合物、特にアリールシロキサン化合物について、アリール（例えばフェニル）ラジカルまたは基の総数のＳｉ原子総数に対する比は、約１．３３以下、好ましくは約１未満、より好ましくは約０．８未満である。
【００８４】
さらに別の態様において、本発明が特徴とする光学エレクトロウェッティング装置、特にエレクトロウェッティングにより駆動される光学レンズは、導電性流体および該導電性流体と混ざらない非導電性流体を備え、該非導電性流体が、１つ以上のフェニル基で置換されたＳｉ系化合物および／またはＧｅ系化合物を含むか、または、Ｓｉ系化合物および／またはＧｅ系化合物の混合物であって少なくとも１種の化合物が１つ以上のフェニル基で置換された混合物を含むものである。シロキサン化合物、特にアリールシロキサン化合物について、アリール（例えばフェニル）ラジカルまたは基の総数のＳｉ原子総数に対する比は、約１．３３以下、好ましくは約１未満、より好ましくは約０．８未満である。
【００８５】
本発明の別の特徴によれば、非導電性流体は、レンズの下部プレート（絶縁性基材）上の該流体の濡れ性を高めるため、湿潤剤を含む。湿潤剤の性質は、該レンズの下部プレート表面の性質に依存する。
【００８６】
さらに別の特徴によれば、非導電性流体の主成分である有機化合物、無機化合物（鉱物）、またはそれらの混合物は、それ自体で基材または被覆物に対して湿潤性を有することができ（例えば、上述したアリールモノゲルマン化合物を用いる場合のように）、あるいは、湿潤性を示す成分を含むことができる。特定の基材または被覆物を用いる場合、有機化合物または無機化合物（鉱物）自体が湿潤剤であってもよい。
【００８７】
有機化合物または無機化合物（鉱物）の例、および／または、特にＰａｒｙｌｅｎｅ（登録商標）または他の非導電性（絶縁）層またはコーティングで高い表面エネルギー（＞３０ｍＮ／ｍ）を有するものに対する湿潤剤の例を、下記の表１、２および３に示す。
【００８８】
【表１】
2009525501.tif 000007
【００８９】
【表２】
2009525501.tif 000008
【００９０】
【表３】
2009525501.tif 000009
【００９１】
有機化合物または無機化合物（鉱物）の例、および／または、特に、Ｔｅｆｌｏｎ（登録商標）ＡＦまたは他の絶縁性層またはコーティングで低い表面エネルギー（＜３０ｍＮ／ｍ）を有するものに対する湿潤剤の例を、下記の表４（シロキサン類）および表５（他の化合物）に示す。
【００９２】
【表４】
2009525501.tif 000010
【００９３】
【表５】
2009525501.tif 000011
【００９４】
これらの湿潤剤の中で、式（Ｉ）の湿潤剤若しくは式（ＩＩ）の湿潤剤またはそれらの混合物は、高い表面エネルギー（＞約３０ｍＮ／ｍ）を有する絶縁性層（例えばＰａｒｙｌｅｎｅ（登録商標））に対して使用するのが好ましい。
【００９５】
【化５】
2009525501.tif 000012
【００９６】
（式中、
Ｘ、Ｘ１およびＸ２はハロゲン原子（主にフッ素、塩素および／または臭素）であり、
Ａは、ハロゲン原子で置換されていてもよく、１つ以上の、好ましくは１つの二重結合
、および／または１つ以上の、好ましくは１つの三重結合を有していてもよい直鎖または分枝鎖の（Ｃ４〜Ｃ２０）アルキレンであり、
ＡｋはＣ１〜Ｃ１０アルキル、好ましくはＣ１〜Ｃ６アルキル（例えばメチル、エチル、プロピル、並びに直鎖または分枝鎖のブチル、ペンチル、およびヘキシル）であり、
ｐおよびｑはそれぞれ１、２、３、４、または５から選択され、ただし、ｐ＋ｑは２、３、４、５、または６である）。
【００９７】
Ｘ、Ｘ１およびＸ２は独立してＣｌまたはＢｒであることが好ましい。Ａｋはエチルを表すことが好ましい。
【００９８】
式（Ｉ）の例には、上記表１に列挙した化合物が含まれる。式（ＩＩ）の例には、上記表２に列挙した化合物が含まれる。
【００９９】
これらの湿潤剤の中で、式（ＩＩＩ）の湿潤剤若しくは式（ＩＶ）の湿潤剤またはそれらの混合物は、高い表面エネルギー（＞約３０ｍＮ／ｍ）を有する絶縁性層（例えばＰａｒｙｌｅｎｅ（登録商標））に適した実施形態である。
【０１００】
（ＩＩＩ）シリコン原子に対するフェニル基の比が１未満であるシロキサン
（ＩＶ）Ｘ３−Ａｎ（式中、Ｘ３はハロゲン（好ましくはフッ素、塩素または臭素）または水素であり、Ａｎは、ｎ個の炭素原子を有する直鎖若しくは分枝鎖の炭化水素またはフッ素化炭化水素であり、ここでｎは約２以上でありかつ約２０以下、好ましくは約２以上でありかつ約１０以下である）。
【０１０１】
式（Ｉ）の化合物および式（ＩＩ）の化合物は、水性の導電性流体に接触する場合、加水分解に対して良好な耐性を示すので、特に適切な湿潤剤である。
【０１０２】
湿潤剤は、モノハロゲン化芳香族化合物、α，ω−ジハロゲン化アルキル化合物、またはそれらの混合物であってもよい。好ましい実施形態において、非導電性流体は、１−ブロモ−４−エチルベンゼン、α，ω−ジクロロ−オクタンまたはそれらの混合物を湿潤剤として含む。
【０１０３】
好ましい実施形態において、非導電性流体は、α，ω−ジクロロ−オクタンを耐加水分解性の湿潤剤として含む。
【０１０４】
別の好ましい実施形態において、非導電性流体は、１−ブロモ−４−エチルベンゼンを耐加水分解性の湿潤剤として含む。
【０１０５】
さらに別の態様において、本発明に係る多相液体組成物は、導電性流体および非導電性流体を含み、該流体のそれぞれは実質的に同じ密度を示し、該非導電性流体は、該導電性流体と混ざらず、かつ少なくとも１種のＳｉ系化合物および／またはＧｅ系化合物、並びに少なくとも１種の上記式（Ｉ）または式（ＩＩ）の耐加水分解性化合物を含むものである。
【０１０６】
さらに別の態様において、本発明に係る液体組成物は、Ｓｉ系化合物、Ｇｅ系化合物、Ｓｉ−Ｇｅ系化合物、またはそれらの混合物と、上記式（Ｉ）の化合物および上記式（ＩＩ）の化合物から選択される少なくとも１種の耐加水分解性化合物（好ましくはα，ω−ジクロロオクタン）とを含む。
【０１０７】
本発明は、光学エレクトロウェッティング装置（例えばエレクトロウェッティングにより駆動される光学レンズ）において式（Ｉ）の化合物（好ましくはα，ω−ジクロロオク
タン）を耐加水分解性化合物として使用することを特徴とする。
【０１０８】
また本発明は、光学エレクトロウェッティング装置（例えばエレクトロウェッティングにより駆動される光学レンズ）において式（ＩＩ）の化合物（好ましくは１−ブロモ−４−エチルベンゼン）を耐加水分解性化合物として使用することを特徴とする。
【０１０９】
以下の特徴の１つ以上が含まれていてもよい。
非導電性流体が酸化防止剤をさらに含む。
【０１１０】
導電性流体が酸化防止剤をさらに含む。
非導電性流体が殺生物剤化合物をさらに含む。
【０１１１】
導電性流体が殺生物剤化合物をさらに含む。
非導電性流体が紫外線フィルタリング剤をさらに含む。
【０１１２】
導電性流体が紫外線フィルタリング剤をさらに含む。
酸化防止剤化合物は、当業者に知られたものを含み、例えば、ＢＨＴ（ブチル化ヒドロキシトルエン）型酸化防止剤（例えば２，６−ジ−ｔｅｒｔ−ブチル−４−メチルフェノール）である。
【０１１３】
殺生物剤化合物には、当該技術において通常知られかつ使用されているもの（例えば、２−メチル−４−イソチアゾリン−３−オン（ＭＩＴ）および１，２−ベンゾイソチアゾリン−３−オン（ＢＩＴ））がある。
【０１１４】
驚くべきことに、本発明者らは、導電性流体に臭素アニオン（典型的に臭素塩）を存在させることにより、例えば、塩素アニオンを含む導電性流体に比べて、光学エレクトロウェッティング装置のプレート類や側壁（特に、ガラスおよび／またはステンレス鋼からなるもの）の腐食が、実質的に減少し、さらには食い止められることを見出した。
【０１１５】
別の特徴によれば、本発明はまた、光学エレクトロウェッティング装置の導電性流体に、臭素アニオン、典型的に臭素塩を、非腐食剤、特にガラス、ステンレス鋼、またはそれらの両方に対する非腐食剤として使用することに関する。
【０１１６】
別の特徴によれば、非導電性流体と導電性流体は、実質的に同じ密度を有する。このことは、狭い範囲内での密度の差は許容されることを意味する。典型的に、密度の差は、２０℃で約３×１０−３ｇ／ｃｍ３以下であることが好ましい。
【０１１７】
臭素アニオン、典型的に臭素塩を導電性流体に使用する場合、該臭素アニオンも導電性流体の密度を調整するのに有用となり得、それにより、導電性流体の密度と非導電性流体の密度との差が上記範囲内となる。従って別の特徴によれば、本発明は、光学エレクトロウェッティング装置の導電性流体において、臭素アニオン、典型的に臭素塩を、非導電性流体の密度に対する導電性流体の密度調整剤として使用することに関する。
【０１１８】
別の特徴によれば、非導電性流体と導電性流体は、透明であり（上記で規定したとおり）かつ互いに異なる屈折率を有する。
【０１１９】
この２種の流体の屈折率差は、約±０．０３〜約±０．８の範囲であることが有利であり、約±０．０４〜約±０．６の範囲であることが好ましく、約±０．０６〜約±０．３の範囲であることがより好ましい。
【０１２０】
好ましい実施形態において、非導電性流体の屈折率は、導電性流体の屈折率よりも大きい。
【０１２１】
別の態様において、本発明は、光学エレクトロウェッティング装置、特にエレクトロウェッティングにより駆動される光学レンズに関し、該装置は本発明による多相液体組成物を含む。
【０１２２】
別の態様において、本発明は、本発明による光学エレクトロウェッティング装置を有する装置に関する。１つの特徴において、該装置は、ＡＣ（交流）電圧またはＤＣ（直流）電圧、好ましくはＡＣ電圧を導電性流体に印加する手段を備える。
【０１２３】
本発明の光学エレクトロウェッティング装置は、可変焦点液体レンズ、光学絞り、光学ズームとすることができる。
【０１２４】
さらに別の態様において、本発明は、一式または装置に関し、該一式または装置は、本発明による光学エレクトロウェッティング装置と、該装置を制御するための駆動装置または類似の電子手段とを備える。１つの実施形態において、光学エレクトロウェッティング装置と、駆動装置または類似の電子手段とは、該装置において一体化されている。別の実施形態において、該装置は、複数の（１つより多い）光学エレクトロウェッティング装置と、少なくとも１つの駆動装置または類似の電子手段とを備える。１つの特徴によれば、駆動装置は、直流電圧または交流電圧、好ましくは交流電圧を導電性流体に印加する手段を備える。該装置は、カメラ、携帯電話、内視鏡、遠隔計器、歯科用ビデオカメラとすることができる。
【０１２５】
本発明を非限定的な実施例により添付の図面を参照してさらに詳細に説明する。
本発明を以下の実施例によりさらに説明するが、実施例は、ある特定の実施形態の例示として示すものであり、本発明の範囲を限定しようとするものではない。本発明の範囲は、添付の請求の範囲に明瞭に規定されるものである。
【実施例】
【０１２６】
実施例１：導電性流体の組成
特に断らない限り、％はすべて重量％であり、すべての特性は２０℃で測定されたものである。
【０１２７】
組成物Ａ（本発明に従う）
臭化リチウム  １．５％
モノプロピレングリコール  ４５％
殺生物剤  ０．１５％
水  （１００％まで）
組成物Ｂ（本発明に従う）
臭化リチウム  ６％
モノプロピレングリコール  ２０％
エチレングリコール  ２０％
殺生物剤  ０．１５％
水  （１００％まで）
組成物Ｃ（本発明に従う）
臭化リチウム  ６％
モノプロピレングリコール  ２０％
エチレングリコール  ２０％
水  （１００％まで）
組成物ＣＦ１（比較例）
硫酸ナトリウム  ０．２％
１，２−プロパンジオール  ４３．８％
１，２，３−プロパントリオール  ２２．２％
殺生物剤  ０．０３％
水  （１００％まで）
実施例２：本発明による多相組成物
非導電性流体の主成分
以下の炭化水素化合物を非導電性流体に使用することができる。デカン（Ｃ１０Ｈ２２）、ドデカン（Ｃ１２Ｈ２４）、スクアラン（Ｃ３０Ｈ６２）、ｔｅｒｔ−ブチルシクロヘキサン（Ｃ１０Ｈ２０）、α−クロロナフタレン、α−ブロモナフタレン、シス，トランス−デカヒドロナフタレン（Ｃ１０Ｈ１８）、Ｉｓｏｐａｒ（登録商標）Ｖ（Ｅｘｘｏｎ  Ｍｏｂｉｌ）、Ｉｓｏｐａｒ（登録商標）Ｐ（Ｅｘｘｏｎ  Ｍｏｂｉｌ）
非導電性流体の組成
組成物Ｄ
ＳＩＰ６８２７（登録商標）（ＡＢＣＲ  ＧｍｂＨ）  １６．４％
ＤＣ７０２（登録商標）（シクロシロキサンとフェニル化シロキサンの混合物、Ｄｏｗ  Ｃｏｒｎｉｎｇ）  ５８％
１，８−ジクロロオクタン  ２５％
酸化防止剤  ０．６％
密度：１．０４４８ｇ／ｃｍ３
屈折率：１．４９０５
組成物Ｅ
Ｉｓｏｐａｒ（登録商標）Ｖ  １９％
クロロオクタン  １９．４％
ｐ−ブロモエチルベンゼン  ６１％
酸化防止剤  ０．６％
密度：１．０８９３ｇ／ｃｍ３
屈折率：１．４９１５
組成物Ｆ
Ｉｓｏｐａｒ（登録商標）Ｖ  ３５．２％
ｐ−ブロモエチルベンゼン  ６４．２％
酸化防止剤  ０．６％
密度：１．０８９０ｇ／ｃｍ３
屈折率：１．５０１０
本発明による多相組成物の実施例
【０１２８】
【表６】
2009525501.tif 000013
【０１２９】
【表７】
2009525501.tif 000014
【０１３０】
【表８】
2009525501.tif 000015
【０１３１】
多相液体組成物の他の実施例を以下に示す。
【０１３２】
【表９】
2009525501.tif 000016
【０１３３】
【表１０】
2009525501.tif 000017
【０１３４】
【表１１】
2009525501.tif 000018
【０１３５】
【表１２】
2009525501.tif 000019
【０１３６】
【表１３】
2009525501.tif 000020
【０１３７】
【表１４】
2009525501.tif 000021
【０１３８】
【表１５】
2009525501.tif 000022
【０１３９】
実施例２：濁度試験
濁度は、１０ｍＬの流体について、ＨＡＣＨ（登録商標）２１００ｐ濁度計を用いて測定している。
【０１４０】
多相組成物（導電性流体＋非導電性流体）を８５℃で１８時間加熱する（熱的ストレス）。
【０１４１】
熱的ストレスの後、多相組成物を室温まで放冷する（２時間）。
その後、種々の時間において各流体の濁度を測定している。
【０１４２】
一例として、図１は、導電性流体に使用した塩の種類の、非導電性流体の濁度への影響を示している。ＤＣ７０４（登録商標）および
１）ＣＦ１（ｄ＝１．０８６）、
２）水のみ、
３）ＬｉＢｒの水溶液（ｄ＝１．０９、１３重量％）、
４）ＺｎＢｒ２の水溶液（ｄ＝１．０９、９．９重量％）
の４種の多相組成物に、上述したとおり熱的ストレスをかけている。
【０１４３】
ＤＣ７０４（登録商標）の濁度を、各多相組成物について、熱的ストレスの後、最大１００時間まで、種々の時間において測定している。
【０１４４】
導電性相が臭素塩を含む多相組成物の方が、導電性相として純粋な水を有するものや硫酸塩を有するものに比べて、透明性の回復がより速い。
【図面の簡単な説明】
【０１４５】
【図１】本発明による可変焦点液体レンズの概略断面図である。
【図２】導電性流体に使用される塩の種類が非導電性流体の濁度にどのように影響するか具体的に示す図である。
【図１】
2009525501.tif 000023
【図２】
2009525501.tif 000024
【国際調査報告】
2009525501.tif 000025
2009525501.tif 000026
2009525501.tif 000027